(57)【特許請求の範囲】
【請求項１】
相対向する一対の基板のうち一方の基板の一辺部が他方の基板の一辺から突出され、該突出部に接続端子が設けられ、前記一対の基板の各対向面に形成された電極が前記接続端子に引き回し線を介して接続された表示パネルにおいて、前記両電極が対向配置された領域からなる表示領域は、この表示領域の前記突出部の辺から最も離間した部分の前記突出部の辺に沿う方向の長さが、前記突出部の辺に最も接近した部分の前記突出部の辺に沿う方向の長さよりも長く形成され、前記引き回し線は前記表示領域の前記突出部の辺と平行な方向に隣接する領域に配置されていることを特徴とする表示パネル。
【請求項２】
請求項１記載の発明において、前記表示領域は上下２段の長方形状の表示領域からなり、且つ、一方の段の表示領域の長さが他方の段の表示領域の長さよりも長くなっていることを特徴とする表示パネル。
【請求項３】
請求項１記載の発明において、前記表示領域はほぼ台形状であることを特徴とする表示パネル。
【請求項４】
請求項１記載の発明において、前記表示領域はほぼ扇形状であることを特徴とする表示パネル。
【発明の詳細な説明】
【０００１】
【発明の属する技術分野】
この発明は表示パネルに関する。
【０００２】
【従来の技術】
従来例として、液晶表示パネルについて説明する。図３は従来の液晶表示パネルの一例の平面図を示したものである。この液晶表示パネルは、下面側のセグメント基板１と上面側のコモン基板２とがほぼ枠状のシール材３を介して貼り合わされ、シール材３の内側における両基板１、２間に液晶（図示せず）が封入されたものからなっている。この場合、セグメント基板１の下辺部はコモン基板２の下辺から突出され、この突出部２ａの上面中央部には複数のセグメント端子（接続端子）４が設けられ、その右側には複数ずつの下表示用及び上表示用のコモン端子（接続端子）５、６が設けられている。
【０００３】
この液晶表示パネルでは、二点鎖線で示すように、シール材３の内側における上下２段の長方形状の領域が上表示領域１１及び下表示領域１２となっている。セグメント基板１の上面における両表示領域１１、１２及びその間の引き回し線形成領域１３には、図示していないが、複数ずつのセグメント電極及びその間の引き回し線が列方向に延びて設けられている。下表示領域１２のセグメント電極の下端部は、セグメント基板１の上面下側に設けられた引き回し線１４を介してセグメント端子４に接続されている。
【０００４】
コモン基板２の下面における下表示領域１２及び上表示領域１１には、図示していないが、複数ずつのコモン電極が行方向に延びて設けられている。下表示領域１２及び上表示領域１１のコモン電極の右端部は、コモン基板２の下面右側に設けられた下表示用及び上表示用の引き回し線１５、１６及びクロス材（図示せず）を介して下表示用及び上表示用のコモン端子５、６に接続されている。
【０００５】
【発明が解決しようとする課題】
ところで、従来のこのような液晶表示パネルでは、コモン基板２の下面右側に下表示用及び上表示用の引き回し線１５、１６を設けているので、液晶表示パネルの行方向の長さが一定である場合、両表示領域１１、１２の行方向の長さに制約を受け、両表示領域１１、１２の全体としてのサイズが比較的小さくなってしまうという問題があった。なお、この場合、セグメント基板１の上面における両表示領域１１、１２及びその間の引き回し線形成領域１３に複数ずつのセグメント電極及びその間の引き回し線を列方向に延ばして設けているので、両表示領域１１、１２の行方向の長さは同じとなっている。
この発明の課題は、表示領域全体としてのサイズを比較的大きくすることである。
【０００６】
【課題を解決するための手段】
この発明は、相対向する一対の基板のうち一方の基板の一辺部が他方の基板の一辺から突出され、該突出部に接続端子が設けられ、前記一対の基板の各対向面に形成された電極が前記接続端子に引き回し線を介して接続された表示パネルにおいて、前記両電極が対向配置された領域からなる表示領域は、この表示領域の前記突出部の辺から最も離間した部分の前記突出部の辺に沿う方向の長さが、前記突出部の辺に最も接近した部分の前記突出部の辺に沿う方向の長さより長く形成され、前記引き回し線は前記表示領域の前記突出部の辺と平行な方向に隣接する領域に配置されていることを特徴とする。
この発明によれば、両電極が対向配置された領域からなる表示領域は、前記突出部の辺から最も離間した部分の前記突出部の辺に沿う方向の前記表示領域の長さが、突出部に最も接近した部分の突出部の辺に沿う方向の前記表示領域の長さより長く形成されているので、前記表示領域の短い部分に隣接する領域に引き回し配線を形成することができ、表示領域全体としてのサイズを比較的大きくすることができる。
【０００７】
【発明の実施の形態】
図１はこの発明の一実施形態における液晶表示パネルの要部の平面図を示したものである。この液晶表示パネルにおいて、図３に示す場合と異なる点は、上表示領域１１の行方向の長さを下表示領域１２の行方向の長さよりも長くした点である。
【０００８】
すなわち、下表示領域１２の場合には、コモン基板２の下面右側に設けられた下表示用及び上表示用の引き回し線１５、１６により、行方向の長さに制約を受ける。これに対して、上表示領域１１の場合には、下表示用の引き回し線１５によっては行方向の長さに制約をほとんど受けず、上表示用の引き回し線１６のみにより、行方向の長さに制約を受ける。
【０００９】
この相違により、上表示領域１１の行方向の長さを下表示領域１２の行方向の長さよりも長くすることができる。この結果、両表示領域１１、１２の全体としてのサイズを比較的大きくすることができる。なお、両表示領域１１、１２間の引き回し線形成領域１３はほぼ台形状となっている。
【００１０】
次に、図２はこの発明の他の実施形態における液晶表示パネルの要部の平面図を示したものである。この液晶表示パネルは、下面側のセグメント基板２１と上面側のコモン基板２２とがほぼ枠状のシール材２３を介して貼り合わされ、シール材２３の内側における両基板２１、２２間に液晶（図示せず）が封入されたものからなっている。この場合、セグメント基板２１の下辺部はコモン基板２２の下辺から突出され、この突出部２２ａの上面中央部には複数のセグメント端子２４が設けられ、その左側及び右側には複数ずつのコモン端子２５、２６が設けられている。
【００１１】
この液晶表示パネルでは、二点鎖線で示すように、シール材２３の内側におけるほぼ台形状の領域が表示領域３１となっている。この場合、表示領域３１の上辺（台形の下辺）の長さは下辺（台形の上辺）の長さよりも長くなっている。したがって、セグメント基板１の上面における表示領域３１には、図示していないが、複数のセグメント電極が下側から上側に向かうに従って広がるように設けられている。セグメント電極の下端部は、セグメント基板２１の上面下側に設けられた引き回し線３２を介してセグメント端子２４に接続されている。
【００１２】
コモン基板２２の下面における表示領域３１には、図示していないが、複数のコモン電極が行方向に延びて設けられている。そして、表示領域３１の下半分のコモン電極の左端部は、コモン基板２２の下面左側に設けられた引き回し線３３及びクロス材（図示せず）を介して左側のコモン端子２５に接続されている。表示領域３１の上半分のコモン電極の右端部は、コモン基板２２の下面右側に設けられた引き回し線３４及びクロス材（図示せず）を介して右側のコモン端子２６に接続されている。
【００１３】
ところで、この液晶表示パネルでは、表示領域３１の下半分の場合、コモン基板２２の下面左側及び右側に設けられた引き回し線３３、３４により、行方向の長さに制約を受ける。これに対して、表示領域３１の上半分の場合には、左側の引き回し線３３によっては行方向の長さに制約をほとんど受けず、右側の引き回し線３４のみにより、行方向の長さに制約を受ける。
【００１４】
この相違により、表示領域３１の上半分の行方向の長さを表示領域３１の下半分の行方向の長さよりも長くすることができ、表示領域３１をほぼ台形状とすることができる。この結果、両表示領域１１、１２の全体としてのサイズを比較的大きくすることができる。
【００１５】
なお、上記第各実施形態において、液晶表示パネル全体の上下を逆にして使用するようにしてもよい。また、上記第１実施形態において、下表示用の引き回し線１５をコモン基板２の下面左側に設けるようにしてもよい。また、上記第１実施形態において、下表示領域１２の左端部が上表示領域１１の左端部と同じ位置となるようにしてもよい。また、上記第２実施形態では、表示領域３１の形状をほぼ台形状とした場合について説明したが、これに限らず、例えばほぼ扇形状としてもよい。さらに、この発明は、液晶表示パネルに限らず、他の表示パネルにも適用することができる。
【００１６】
【発明の効果】
以上説明したように、この発明によれば、両電極が対向配置された領域からなる表示領域は、前記突出部の辺から最も離間した部分の前記突出部の辺に沿う方向の前記表示領域の長さが、突出部に最も接近した部分の突出部の辺に沿う方向の前記表示領域の長さより長く形成されているので、表示領域の短い部分に隣接する領域に引き回し配線を形成することができ、表示領域全体としてのサイズを比較的大きくすることができる。
【図面の簡単な説明】
【図１】この発明の一実施形態における液晶表示装置の要部の平面図。
【図２】この発明の他の実施形態における液晶表示装置の要部の平面図。
【図３】従来の液晶表示装置の一例の一部の平面図。
【符号の説明】
１  セグメント基板
２  コモン基板
３  シール材
４  セグメント端子
５、６  コモン端子
１１  上表示領域
１２  下表示領域
１３  引き回し線形成領域
１４  引き回し線
１５、１６  引き回し線
【図１】
0003721858.tif 000002
【図２】
0003721858.tif 000003
【図３】
0003721858.tif 000004